(57)【要約】【課題】  イクスプレスカードケース装置の提供。【解決手段】  ノートブック型コンピュータを拡充するための軽量化薄型化された携帯式ハードウエア装置とされ、メモリとされるか或いは各種の異なる媒体を実行する装置とされ、アダプタケース１０、端子、フレーム本体、下蓋、上蓋で組成される。フレーム本体の内側両辺の係止部が下蓋両側の係止孔に係合し、上蓋の下蓋に対応する固定構造に嵌合され、フレーム本体の一側に安全係止孔が設けられ、上蓋と下蓋が係合固定され、取り付け交換に便利で、端子が一回で取り付け完成し並びに切断しやすい構造とされ、生産効率と歩留りを高めることができる。【選択図】        図１
0003102395.tif 000002
【実用新案登録請求の範囲】
【請求項１】
アダプタケース、端子、フレーム本体、下蓋、上蓋からなるイクスプレスカードケース装置において、
該アダプタケースは一体成形で形成された長方形ケースとされ、中央に貫通する端子溝が設けられ前端に開口が形成され、左右両外側に位置決め部が設けられ、アダプタケースの後部両側に係止溝が設けられ、
該端子は、前部の端子本体と後部の接続部を具え、端子本体の後方に下向きに折り曲げられた端子ピンが設けられ、端子本体と接続部の中央に切断容易な構造が設けられ、前部の端子本体がアダプタケースの端子溝内に挿入され、
該フレーム本体は、上方から見てＵ形を呈し、並びに前端開口部分にロッドが設けられ、左右両側のサポートフレームの前端に位置決め係止溝が設けられ、その内側に複数の係止部が設けられ、サポートフレームの中央の上方に凹溝が設けられ、一側に安全係止孔が設けられ、
該下蓋は、その両側及び後側にフレーム本体の係止部に対応する複数の係止孔が設けられ、その両側中央部にフレーム本体の凹溝に対応する逆Ｕ形フックが外向き上向きに延伸され、別に両側に複数の逆Ｌ形フックが設けられ、フレーム本体の下方に取り付けられ、  該上蓋は、前端にアダプタケースの両側の係止溝に対応するフックが設けられ、両側に、開口が前向きの複数のＵ形フックが設けられ、並びにフレーム本体の安全係止孔に対応する部分に安全係止孔に係合可能な安全フックが設けられ、上蓋の後端に下向きに折り曲げられたストッパ板が設けられたことを特徴とする、イクスプレスカードケース装置。
【請求項２】
請求項１記載のイクスプレスカードケース装置において、フレーム本体が金属をダイキャスティングして形成されたことを特徴とする、イクスプレスカードケース装置。
【請求項３】
請求項１記載のイクスプレスカードケース装置において、安全係止孔の中心に円孔が設けられ、サポートフレームの内側に円孔を中心として方形凹溝が開設され、該方形凹溝が安全フックと係合可能とされたことを特徴とする、イクスプレスカードケース装置。
【請求項４】
請求項１記載のイクスプレスカードケース装置において、安全フックが上蓋の一側にあって下向き外向きに突出する方形バネ片を具えたことを特徴とする、イクスプレスカードケース装置。
【考案の詳細な説明】
【技術分野】
【０００１】
本考案はイクスプレス（ＥＸＰＲＥＳＳ）カードケース装置に係り、特に、ノートブック型コンピュータを拡充するための軽量化薄型化された携帯式ハードウエア装置であり、メモリとされるか或いは各種の異なる媒体を実行する装置とされ、アダプタケース、端子、フレーム本体、下蓋、上蓋で組成されるものに関する。
【背景技術】
【０００２】
コンピュータ工業の進歩に加え、市場の消費要求により、新たなイクスプレス（ＥＸＰＲＥＳＳ）規格がこれまでのＰＣＭＣＩＡ規格に代わり採用されるようになり、メーカーの要求により新たな携帯装置のケース装置の製作が必要となった。
【考案の開示】
【考案が解決しようとする課題】
【０００３】
本考案の主要な目的は取り付け交換が容易なイクスプレスカードケース装置を提供することにある。
【０００４】
本考案の次の目的は、上蓋と下蓋とフレーム本体の脱落を防止できるイクスプレスカードケース装置を提供することにある。
【０００５】
本考案の別の目的は、端子を一度で取り付け完成でき切断しやすく、端子取り付けの時間を減らすことのできるイクスプレスカードケース装置を提供することにある。
【課題を解決するための手段】
【０００６】
請求項１の考案は、アダプタケース、端子、フレーム本体、下蓋、上蓋からなるイクスプレスカードケース装置において、
該アダプタケースは一体成形で形成された長方形ケースとされ、中央に貫通する端子溝が設けられ前端に開口が形成され、左右両外側に位置決め部が設けられ、アダプタケースの後部両側に係止溝が設けられ、
該端子は、前部の端子本体と後部の接続部を具え、端子本体の後方に下向きに折り曲げられた端子ピンが設けられ、端子本体と接続部の中央に切断容易な構造が設けられ、前部の端子本体がアダプタケースの端子溝内に挿入され、
該フレーム本体は、上方から見てＵ形を呈し、並びに前端開口部分にロッドが設けられ、左右両側のサポートフレームの前端に位置決め係止溝が設けられ、その内側に複数の係止部が設けられ、サポートフレームの中央の上方に凹溝が設けられ、一側に安全係止孔が設けられ、
該下蓋は、その両側及び後側にフレーム本体の係止部に対応する複数の係止孔が設けられ、その両側中央部にフレーム本体の凹溝に対応する逆Ｕ形フックが外向き上向きに延伸され、別に両側に複数の逆Ｌ形フックが設けられ、フレーム本体の下方に取り付けられ、  該上蓋は、前端にアダプタケースの両側の係止溝に対応するフックが設けられ、両側に、開口が前向きの複数のＵ形フックが設けられ、並びにフレーム本体の安全係止孔に対応する部分に安全係止孔に係合可能な安全フックが設けられ、上蓋の後端に下向きに折り曲げられたストッパ板が設けられたことを特徴とする、イクスプレスカードケース装置としている。
請求項２の考案は、請求項１記載のイクスプレスカードケース装置において、フレーム本体が金属をダイキャスティングして形成されたことを特徴とする、イクスプレスカードケース装置としている。
請求項３の考案は、請求項１記載のイクスプレスカードケース装置において、安全係止孔の中心に円孔が設けられ、サポートフレームの内側に円孔を中心として方形凹溝が開設され、該方形凹溝が安全フックと係合可能とされたことを特徴とする、イクスプレスカードケース装置としている。
請求項４の考案は、請求項１記載のイクスプレスカードケース装置において、安全フックが上蓋の一側にあって下向き外向きに突出する方形バネ片を具えたことを特徴とする、イクスプレスカードケース装置としている。
【考案の効果】
【０００７】
本考案は以下の機能を達成する。
１．端子本体と接続部の中央に切断容易な構造が設けられ、端子がアダプタケース後方の端子溝より挿入された後、切断しやすく、端子本体がアダプタケース内に保留され、取り付け時間を加速できる。
２．アダプタケースの左右両側の位置決め部がフレーム本体の位置決め係止溝に挿入され、アダプタケースが正確に強固にフレーム本体内に取り付けられる。
３．下蓋の係止孔と逆Ｕ形フックがフレーム本体の係止部と凹溝に対応し、速やかに下蓋とフレーム本体を緊密に結合できる。
４．上蓋のＵ形フックが下蓋の逆Ｌ形フックに対応し、速やかに上蓋と下蓋をスライド式に組み合わせることができる。
５．フレーム本体の一側の安全係止孔が上蓋が前向きに組み合わされる時に上蓋の対応する安全フックとスライド式に係合し、係合後に上蓋が脱落せず、安全フックの外向きに突出する方形バネ片により、上蓋の取り外しが容易である。
総合すると、本考案のイクスプレスカードケース装置は取り付けと交換の便利性を有し、実用性と進歩性を具えている。
【考案を実施するための最良の形態】
【０００８】
本考案のイクスプレスカードケース装置は、アダプタケース、端子、フレーム本体、下蓋、上蓋で組成され、端子は新型のイクスプレス規格の形式に合わせて製造され、且つ切断しやすい構造とされて一度で取り付け完成し、アダプタケース後方の端子孔より挿入され、並びに端子前端の端子本体と後方の接続部が切断された後、端子本体下方の端子ピンがプリント基板上に接合され、フレーム本体の内側両辺の係止部が、下蓋両側の係止孔と相互に係合し、且つ下蓋両側に外向き上向きに延伸された逆Ｕ形フックがフレーム本体両側の凹溝内に係合し、アダプタケースがプリント基板と共にフレーム本体内に置かれ、アダプタケース前端に設けられた位置決め部がフレーム本体の位置決め係止溝内に挿入され、さらに上蓋両側のＵ形フックが下蓋の対応する逆Ｌ形フックと係合し、フレーム本体の一側に安全係止孔が設けられ、上蓋が前向きに係合される時、該安全係止孔に対応する上蓋の安全フックがスライド式に係合し、組立が完成する。
【０００９】
以上の構造により、アダプタケース前端に設けられた位置決め部がフレーム本体の位置決め係止溝内に挿入され、且つフレーム本体内側両辺の係止部が下蓋両側の係止孔と相互に係合し、上蓋両側のＵ形フックが下蓋の対応する逆Ｌ形フックと係合し、これにより全体のイクスプレスカードの取り付け交換に便利とされる。並びにフレーム本体の一側に安全係止孔が設けられ、上蓋が前向きに係合される時、上蓋の、安全係止孔に対応する安全フックがスライド式に係合し、且つ下蓋両側に外向き上向きに延伸された逆Ｕ形フックがフレーム本体両側の凹溝内に係合し、上蓋、下蓋及びフレーム本体の脱落が防止される。新型のイクスプレス規格に合わせて製作され且つ切断しやすい構造の端子は、アダプタケースの後方の端子孔より挿入され、並びに端子前端の端子本体と後方の接続部が切断分離された後、端子本体下方の端子ピンがプリント基板に接合され、端子取り付けの時間が短縮される。
【実施例１】
【００１０】
本考案のイクスプレスカードケース装置は、アダプタケース１０、端子２０、フレーム本体３０、下蓋４０、上蓋５０で組成されている。
【００１１】
該アダプタケース１０は、プラスチック射出一体成形された長方形ケースであり、中央に貫通する端子溝１１が設けられ、前端にノートブック型コンピュータのスロットに接続される開口１２が設けられ、アダプタケースの左右両外側に位置決め部１３が設けられ、アダプタケースの後部両側に係止溝１４が設けられている。
【００１２】
該端子２０は金属板を折って形成され、前部の端子本体２１と後部の接続部２２を具え、端子本体２１の後方に下向きに折り曲げられた端子ピン２１ａがあり、端子本体２１と接続部２２の中央に切断容易な構造２３が設けられ、接続部２２の金属の上方に二つの上端が下向きのＶ形切欠き２３ａが開設され、且つ小部分の金属が保留されて後端の接続部２２に接続されている。
【００１３】
該フレーム本体３０は、金属ダイキャスティング或いはプラスチック射出一体成形で製造され、上方から見てＵ形状を呈し、並びに前端開口部分にロッド３１ｄが設けられて該ロッド３１ｄにより左右のサポートフレーム３１が連接され、左右両側のサポートフレーム３１の前端に位置決め係止溝３１ａが設けられ、その内側に複数の係止部３１ｂが設けられ、サポートフレーム３１の中央の上方に凹溝３１ｃが設けられ、左右のサポートフレーム３１の一側に安全係止孔３２が設けられ、該安全係止孔３２の中心に円孔３２ａが設けられ、サポートフレーム３１の内側に上述の円孔３２ａを中心として方形凹溝３２ｂが開設されている。
【００１４】
該下蓋４０は、金属を切断し折り曲げてなるカバー体とされ、その両側及び後側にフレーム本体３０の係止部３１ｂに対応する複数の係止孔４１が設けられ、その両側中央部にフレーム本体３０の凹溝３１ｃに対応する逆Ｕ形フック４２が外向き上向きに延伸され、別に両側に複数の逆Ｌ形フック４３が設けられている。
【００１５】
上蓋５０は、金属を切断し折り曲げてなるカバー体とされ、前端にアダプタケースの両側の係止溝に対応するフック５１が設けられ、両側に、開口が前向きの複数のＵ形フック５２が設けられ、並びにフレーム本体３０の安全係止孔３２に対応する部分に安全フック５３が設けられ、該安全フック５３より外向きに方形バネ片５３ａが突出し、上蓋５０の後端に下向きに折り曲げられたストッパ板５４が設けられている。
【００１６】
以上の構造が組み合わされる時、まず、端子２０がアダプタケース１０の後方の端子溝１１より挿入され、並びに端子２０の前端の端子本体２１と後方の接続部２２が切断分離され、端子本体２１の下方の端子ピン２１ａがプリント基板２の上に接合され、フレーム本体３０の内側両辺の係止部３１ｂが、下蓋４０両側の係止孔４１と係合され、且つ下蓋４０両側の外向き上向きに延伸された逆Ｕ形フック４２がフレーム本体３０両側の凹溝３１ｃに係合され、アダプタケース１０前端の位置決め部１３がフレーム本体３０の位置決め係止溝３１ａに挿入され、さらに上蓋５０両側のＵ形フック５２が下蓋４０の対応する逆Ｌ形フック４３と係合され、フレーム本体３０の一側の安全係止孔３２が、上蓋５０が前向きに組み合わされる時に、上蓋５０の安全フック５３とスライド式に係合し、組立が完成する。
【００１７】
図３は下蓋４０とフレーム本体３０の結合表示図であり、フレーム本体３０内側両辺の係止部３１ｂが、下蓋４０両側の係止孔４１と係合し、且つ下蓋４０両側の外向き上向きに延伸された逆Ｕ形フック４２がフレーム本体両側の凹溝３１ｃ内に係合している。
【００１８】
図４、５は本考案の端子２０がアダプタケース１０に挿入された後にプリント基板２と接続される表示図である。まず、端子２０がアダプタケース１０の後方の端子溝１１より挿入され、並びに端子前端の端子本体２１と後方の接続部２２が切り離された後、端子本体２１下方の端子ピン２１ａがプリント基板２に接合される。
【００１９】
図６は本考案の上蓋５０、フレーム本体３０、及び下蓋４０の組合せ局部拡大図である。上蓋５０の両側のＵ形フック５２が下蓋４０の対応する逆Ｌ形フック４３と相互に係合し、フレーム本体３０の一側の安全フック５３が、上蓋５０が前向きに組み合わされる時に、上蓋５０の安全フック５３と係合する。図７、８は本考案の安全フック５３と安全係止孔３２の固定と釈放の表示図であり、安全フック５３が外向きに突出する方形バネ片５３ａを具え、係合時に、方形バネ片５３ａが安全係止孔３２の方形凹溝３２ｂ内に係合し、固定の形態を形成する。開きたい時は、細長く且つ直径が安全係止孔３２の円孔３２ａより小さい円棒３を円孔３２ａ中に挿入し、方形バネ片５３ａを内向きに押し込み、上蓋５０を後ろ向きに滑らせれば、釈放の形態を形成できる。
【実施例２】
【００２０】
図９は本考案の別の実施例の分解斜視図であり、そのうち、上蓋５０、下蓋４０とフレーム本体３０は新型のイクスプレスカード規格に合わせて、別の形状に形成されている。
【図面の簡単な説明】
【００２１】
【図１】本考案の分解斜視図である。
【図２】本考案の斜視図である。
【図３】本考案の下蓋とフレーム本体の結合表示図である。
【図４】本考案の端子がアダプタケースに挿入された後にプリント基板と接続される表示図（一）である。
【図５】本考案の端子がアダプタケースに挿入された後にプリント基板と接続される表示図（二）である。
【図６】本考案の上蓋、フレーム本体、及び下蓋の組合せ局部拡大図である。
【図７】本考案の安全フックと安全係止孔の固定表示図である。
【図８】本考案の安全フックと安全係止孔の釈放表示図である。
【図９】本考案の本考案の別の実施例の分解斜視図である。
【符号の説明】
【００２２】
２  プリント基板                            ３  円棒
１０  アダプタケース                        ２０  端子
３０  フレーム本体                          ４０  下蓋
５０  上蓋                                  １１  端子溝
１２  開口                                  １３  位置決め部
１４  係止溝                                ２１  端子本体
２１ａ  端子ピン                            ２２  接続部
２３  切断容易な構造                        ２３ａ  Ｖ形切欠き
３１  サポートフレーム                      ３１ａ  位置決め係止溝
３１ｂ  係止部                              ３１ｃ  凹溝
３１ｄ  ロッド                              ３２  安全係止孔
３２ａ  円孔                                ３２ｂ  方形凹溝
４１  係止孔                                ４２  逆Ｕ形フック
４３  逆Ｌ形フック                          ５１  フック
５２  Ｕ形フック                            ５３  安全フック
５３ａ  方形バネ片                          ５４  ストッパ板
【図１】
0003102395.tif 000003
【図２】
0003102395.tif 000004
【図３】
0003102395.tif 000005
【図４】
0003102395.tif 000006
【図５】
0003102395.tif 000007
【図６】
0003102395.tif 000008
【図７】
0003102395.tif 000009
【図８】
0003102395.tif 000010
【図９】
0003102395.tif 000011